(57)【特許請求の範囲】
【請求項１】
被写体を撮像して映像情報を生成するカメラ部と、前記カメラ部または外部からの映像情報を第１の記録媒体と第２の記録媒体に記録、または前記第１の記録媒体と前記第２の記録媒体から前記映像情報を再生する信号処理部と、前記映像情報を画像表示する表示部と、前記表示部に画像表示された画像を選択するための情報を入力する入力部と、これら全体を制御する制御部とを備え、
前記信号処理部は、前記第１の記録媒体または前記第２の記録媒体のうちダビング元となる記録媒体に記録された映像情報を取り込み、前記取り込んだ映像情報から顔画像を認識し、前記認識された顔画像を前記表示部に表示させ、前記表示部に表示された顔画像のうち前記入力部から入力された情報で選択された顔画像を登録し、前記制御部からダビング処理が指示されたときに、前記登録された顔画像から選択された顔画像のサイズが適正であるか否かを判定し、その判定の結果、顔画像のサイズが適正でないと判定したときには除外し、適正であると判定したときには保持した画像よりもサイズは適正か否かを判定し、その判定の結果、適正であると判定したときには該当顔画像を含む画像をサムネイル画像として、当該サムネイル画像を含む画像を前記ダビング元から抽出してダビング先の記録媒体にダビングする処理を実行する、情報記録再生装置。
【請求項２】
前記信号処理部は、前記ダビング元となる記録媒体に記録された映像情報からフレーム画像を順次取り込み、各フレーム画像から顔画像を認識する、請求項１に記載の情報記録再生装置。
【請求項３】
前記信号処理部は、前記ダビング元となる記録媒体に記録された映像情報からフレーム画像を順次取り込み、各フレーム画像から顔画像を認識し、前記認識された各顔画像を前記表示部に表示させ、前記表示部に表示された各顔画像のうち前記入力部から入力された情報で選択された顔画像を登録し、前記制御部からダビング処理が指示されたときに、前記登録された顔画像を全て含む画像をサムネイル画像として抽出する、請求項１に記載の情報記録再生装置。
【請求項４】
前記信号処理部は、前記ダビング元となる記録媒体に記録された映像情報からフレーム画像を順次取り込み、各フレーム画像から顔画像を認識し、前記認識された各顔画像を前記表示部に表示させ、前記表示部に表示された各顔画像のうち前記入力部から入力された情報で選択された顔画像を登録し、前記制御部からダビング処理が指示されたときに、前記登録された顔画像のうち同一の顔画像を含む画像をサムネイル画像として抽出する、請求項１に記載の情報記録再生装置。
【請求項５】
前記信号処理部は、前記ダビング元となる記録媒体に記録された映像情報からフレーム画像を順次取り込み、各フレーム画像から顔画像を認識し、前記認識された各顔画像を前記表示部に表示させ、前記表示部に表示された各顔画像のうち前記入力部から入力された情報で選択された顔画像を登録し、前記制御部からダビング処理が指示されたときに、前記登録された顔画像のうち前記各フレーム画像の出現回数が設定値を超えた顔画像を含む画像をサムネイル画像として抽出する、請求項１に記載の情報記録再生装置。
【請求項６】
被写体を撮像して映像情報を生成するカメラ部と、前記カメラ部または外部からの映像情報を第１の記録媒体と第２の記録媒体に記録、または前記第１の記録媒体と前記第２の記録媒体から前記映像情報を再生する信号処理部と、前記映像情報を画像表示する表示部と、前記表示部に画像表示された画像を選択するための情報を入力する入力部と、これら全体を制御する制御部とを備え、
前記信号処理部は、前記第１の記録媒体または前記第２の記録媒体のうちダビング元となる記録媒体に記録された映像情報を取り込む第１のステップと、
前記第１のステップで取り込んだ映像情報から顔画像を認識する第２のステップと、
前記第２のステップで認識された顔画像を前記表示部に表示させる第３のステップと、
前記第３のステップで前記表示部に表示された顔画像のうち前記入力部から入力された情報で選択された顔画像を登録する第４のステップと、
前記制御部からダビング処理が指示されたときに、前記登録された顔画像から選択された顔画像のサイズが適正であるか否かを判定する第５のステップと、
前記第５のステップで顔画像のサイズが適正でないと判定したときには除外し、適正であると判定したときには保持した画像よりもサイズは適正か否かを判定する第６のステップと、
前記第６のステップでサイズが適正であると判定したときには該当顔画像を含む画像をサムネイル画像として、当該サムネイル画像を含む画像を前記ダビング元から抽出してダビング先の記録媒体にダビングする第７のステップと、を実行する、情報記録方法。
【請求項７】
前記信号処理部は、前記第１のステップでは、前記ダビング元となる記録媒体に記録された映像情報からフレーム画像を順次取り込み、前記第２のステップでは、各フレーム画像から顔画像を認識する、請求項６に記載の情報記録方法。
【請求項８】
前記信号処理部は、前記第１のステップでは、前記ダビング元となる記録媒体に記録された映像情報からフレーム画像を順次取り込み、前記第２のステップでは、各フレーム画像から顔画像を認識し、前記第３のステップでは、前記認識された各顔画像を前記表示部に表示させ、前記第４のステップでは、前記表示部に表示された各顔画像のうち前記入力部から入力された情報で選択された顔画像を登録し、前記第７のステップでは、前記制御部からダビング処理が指示されたときに、前記登録された顔画像を全て含む画像をサムネイル画像として抽出する、請求項６に記載の情報記録方法。
【請求項９】
前記信号処理部は、前記第１のステップでは、前記ダビング元となる記録媒体に記録された映像情報からフレーム画像を順次取り込み、前記第２のステップでは、各フレーム画像から顔画像を認識し、前記第３のステップでは、前記認識された各顔画像を前記表示部に表示させ、前記第４のステップでは、前記表示部に表示された各顔画像のうち前記入力部から入力された情報で選択された顔画像を登録し、前記第７のステップでは、前記制御部からダビング処理が指示されたときに、前記登録された顔画像のうち同一の顔画像を含む画像をサムネイル画像として抽出する、請求項６に記載の情報記録方法。
【請求項１０】
前記信号処理部は、第１のステップでは、前記ダビング元となる記録媒体に記録された映像情報からフレーム画像を順次取り込み、前記第２のステップでは、各フレーム画像から顔画像を認識し、前記第３のステップでは、前記認識された各顔画像を前記表示部に表示させ、前記第４のステップでは、前記表示部に表示された各顔画像のうち前記入力部から入力された情報で選択された顔画像を登録し、前記第７のステップでは、前記制御部からダビング処理が指示されたときに、前記登録された顔画像のうち前記各フレーム画像の出現回数が設定値を超えた顔画像を含む画像をサムネイル画像として抽出する、請求項６に記載の情報記録方法。
【発明の詳細な説明】
【技術分野】
【０００１】
本発明は、ハードディスクドライブ（HDD）などの情報記録媒体に情報を記録し、記録した情報を再生できる情報記録再生装置および情報記録方法に関する。
【背景技術】
【０００２】
近年、映像および音声情報の世界における映像および音声のデジタル化、および、映像および音声データの圧縮技術の向上により、VTRを初めとするテープ記録から、DVD（Digital  Versatile  Disc）、ハードディスクドライブなどのディスク記録への移行が急速に行われている。その代表的なものとして、例えば、HDDとDVDドライバとが混在するHDD＆DVDハイブリットレコーダがある。これは、例えば、放送局から、あるいは外部入力端子からの映像あるいは音声情報を一旦HDDに記録したあと、保存したい場合に、DVDディスクにバックアップなどで記録する、所謂ダビングを行うものである。この際、動画コンテンツに登場する人物やその登場位置を、ユーザに適切且つ分かりやすく提示するようにしたものが提案されている（特許文献１参照）。
【特許文献１】特開２００８−１７０４２号公報
【発明の開示】
【発明が解決しようとする課題】
【０００３】
従来技術では、複数人が映っている場合、それぞれの人物のシーンを確認できるようなメニュー画面を作成し、作成されたメニュー画面から、ユーザが、動画コンテンツに登場する人物やその位置を選択することはできるが、使い勝手を向上させるには十分ではない。
【０００４】
そこで、本発明は、顔情報を基にダビングする際のメニュー画面として、使い勝手の向上を図ることができる情報記録再生装置および情報記録方法を提供することを目的とするものである。
【課題を解決するための手段】
【０００５】
前記目的を達成するために、本発明は、ダビング元となる記録媒体に記録された映像情報からメニュー画面を生成するに際して、映像情報から顔画像を認識し、認識された顔画像を表示画面に表示させ、ユーザの操作に基づいて選択された顔画像を登録し、ダビング処理が指示されたときに、登録された顔画像から選択された顔画像のサイズが適正であるか否かを判定し、その判定の結果、顔画像のサイズが適正でないと判定したときには除外し、適正であると判定したときには保持した画像よりもサイズは適正か否かを判定し、その判定の結果、適正であると判定したときには該当顔画像を含む画像をサムネイル画像として、当該サムネイル画像を含む画像をダビング元から抽出してダビング先の記録媒体にダビングすることを特徴とするものである。
【発明の効果】
【０００６】
本発明によれば、顔情報を基にダビングする際に使い勝手の向上を図ることができる。
【発明を実施するための最良の形態】
【０００７】
以下、本発明の実施形態を図面に基づいて説明する。図１は、本発明の一実施形態を示す情報記録再生装置のブロック図である。
【０００８】
図１において、情報記録再生装置１００は、BD （Blu-ray Disc）ハイブリットカメラとして、レンズ１０１、撮像センサ（CCD）１０２、カメラ信号処理部１０３、圧縮伸張部１０４、制御マイコン部１０５、信号処理部１０６、ハードディスクドライブ（HDD）１０７、ディスクメディア（例えばBDやDVD）部１０８、操作スイッチ１０９、充電部１１０、バッテリ１１１、外部電源入力部１１２、液晶ディスプレイ（LCD）１１３、外部入出力端子（I/F）１１４、管理情報生成部１１５を備えて構成されている。
【０００９】
レンズ１０１と撮像センサ（CCD）１０２およびカメラ信号処理部１０３は、被写体を撮像して映像情報としての映像信号を生成するカメラ部として構成されている。信号処理部１０６は、カメラ信号処理部１０３からの映像信号または外部からの映像情報（映像信号）を第１の記録媒体としてのハードディスクドライブ（HDD）１０７と第２の記録媒体としてのディスクメディア（例えばBDやDVD）部１０８に記録、または第１の記録媒体と第２の記録媒体から得られた映像情報を再生する。液晶ディスプレイ（LCD）１１３は、信号処理部１０６の処理による映像情報（映像信号）にしたがった画像を表示する表示部として構成されている。
【００１０】
具体的には、情報記録再生装置１００は、レンズ１０１を介して、被写体の画像を撮像センサ１０２で捉え、撮像センサ１０２で捉えた画像を電気信号に変換し、変換された電気信号をカメラ信号処理部１０３で映像信号に変換する。
【００１１】
カメラ信号処理部１０３の出力による映像信号は、制御マイコン部１０５によって制御された圧縮伸張部１０４にて、デジタル映像信号に変換される。この際、外部入出力端子１１４に入力を切換えることで、外部から入力された外部入力映像信号を圧縮伸張部１０４によってデジタル映像信号に変換することも可能である。
【００１２】
デジタル映像信号は、信号処理部１０４によって、BDやDVD、あるいはHDDといった外部ストレージに対して画像として記録される。この際、例えば、UDF２．６でフォーマットされたBD-R(Blu-ray  Disc  Recordable)ディスクなどの記録媒体にデータが記録される。また、ユーザデータの追記などに応じてMD情報、MDM情報などの管理情報を更新する必要がある場合には、管理情報生成部１１５で管理情報が生成され、生成された管理情報は記録媒体に記録される。
【００１３】
操作スイッチ１０９は、液晶ディスプレイ１１３の画面上に表示された画像を選択するための情報を入力する入力部として、左右上下ボタン、実行ボタンなどの操作ボタン(図示せず)を備えており、操作スイッチ１０９がユーザによって操作されると、制御マイコン部１０５による制御が開始される。制御マイコン部１０５による制御が開始されると、信号処理部１０６によってBDやDVDに記録された映像信号の読出しが実行され、HDDに対して記録を行うことで、メディア間のダビング処理を行うことができる。また同様に、HDDに記録された映像信号に対して読出しを行い、BDやDVDに対して記録を行うこともできる。
【００１４】
外部ストレージに記録された信号は、圧縮伸張部１０４で映像信号に伸張された後、入出力端子１１４に出力されるとともに液晶ディスプレイ１１３に出力される。これにより、液晶ディスプレイ１１３の画面上には映像信号にしたがった画像が表示される。なお、液晶ディスプレイ１１３の代わりに、例えば、有機ELディスプレイを用いることもできる。
【００１５】
また、電源部として、外部電源入力部１１２を有し、外部からAC電源が供給されたときに、AC電源からの交流電力を外部電源入力部１１２で直流電力に変換し、変換された直流電力を充電部１１０や制御マイコン部１０５などに供給することができる。この外部電源入力部１１２から電源が供給されることで、充電部１１０により、バッテリ１１１を充電することができる。
【００１６】
これにより、外部電源入力部１１２から電源が供給されているときは、外部電源によって機器を動作させ、外部電源が供給されていないときには、バッテリ１１１からの電源供給によって機器を動作させることも可能である。ただし、充電に必要な機能の全てが装置に内蔵されている必要はなく、外部電源入力部１１２の他に、充電に必要な機能の一部または全てがあるものであってもよい。
【００１７】
ここで、制御マイコン部１０５は、外部電源入力部１１２から電力の供給を受けていることを条件に、第１の記録媒体としてのハードディスクドライブ（HDD）１０７と第２の記録媒体としてのディスクメディア部１０８に対するダビング処理を信号処理部１０６に指示し、且つ、ハードディスクドライブ（HDD）１０７とディスクメディア１０８に対するダビング処理を信号処理部１０６に指示する制御部として機能するようになっている。
【００１８】
この際、信号処理部１０６は、図２に示すように、ハードディスクドライブ（HDD）１０７とディスクメディア１０８のうちダビング元となる記録媒体に記録された映像情報からフレーム画像を順次取り込む画像入力部１２０と、画像入力部１２０が取り込んだ各フレーム画像の画像データを分析して顔画像を認識（検知）し、認識した顔画像を液晶ディスプレイ１１３に表示させる顔画像認識部１２２と、液晶ディスプレイ１１３の画面上に表示された各顔画像のうち操作スイッチ１０９の操作に基づいて選択された顔画像をメモリに登録する登録部１２４と、登録部１２４によりメモリに登録された顔画像と顔画像認識部１２２により認識された顔画像とを照合する照合部１２６と、制御マイコン部１０５からダビング処理が指示されたときに、照合部１２６の照合結果を参照し、メモリに登録された顔画像のうち特定の顔画像、例えば、１０個の顔画像のうち、ａさん、ｂさん、ｃさんの顔画像を含む画像をサムネイル画像（ダビング元の記録媒体から顔画像を抽出するときのインデックスとなる画像）として、このサムネイル画像を含む画像（ａさん、ｂさん、ｃさんの顔画像）をダビング元の記録媒体から抽出してダビング先の記録媒体にダビングさせるダビング部１２８としての機能を備えている。
【００１９】
次に、本実施形態の作用を図３のフローチャートに基づいて説明する。まず、信号処理部１０６は、ダビング処理を実行するに先立って、ダビング元に記録された映像情報からフレーム画像をメニュー用画像として順次取り込み（S１）、取り込んだ各フレーム画像の顔画像を検知（認識）し、検知した顔画像を液晶ディスプレイ１１３の画面上に表示させる（S２）。
【００２０】
例えば、図４（ａ）に示すように、各フレーム画像から４人の顔画像を検知したときには、液晶ディスプレイ１１３の画面上に、顔画像２００、２０２、２０４、２０６を表示させる。この後、信号処理部１０６は、表示された顔画像２００〜２０６の周囲に、それぞれ枠２１０、２１２、２１４、２１６を表示させる（Ｓ３）。
【００２１】
この後、信号処理部１０６は、ユーザによる顔画像選択処理が行われるのを待ち（S４）、その後、ユーザにより選択された顔画像を登録し（S５）、このルーチンでの処理を終了する。
【００２２】
次に、ユーザによる顔画像選択処理を図５のフローチャートに従って説明する。まず、ユーザによる顔画像選択操作が開始されると、信号処理部１０６は、ユーザの操作によるボタンは左右上下ボタンかあるいは実行ボタンかを判定し（Ｓ１１）、左右上下ボタンが操作されたときには、移動先は顔か決定キーか否かを判定し（Ｓ１２）、移動先が顔のときには顔枠を別色で表示させる（Ｓ１３）。
【００２３】
例えば、図４（a）に示すように、左右上下ボタンの移動先が顔画像２０２であれば、枠２１２を別色（顔画像２０２とは異なる色）で表示させ、図４(b)に示すように、移動先が顔画像２０４であれば、枠２１４を別色で表示させ、図４（c）に示すように、移動先が顔画像２０６であれば、枠２１６を別色で表示させる。
【００２４】
一方、顔画像を選択するための操作が実行されたあと、ユーザが画面上の決定キー３００を操作したときには、信号処理部１０６は、ステップS１２の判定処理で、移動先は決定キー３００と判定し、決定キー３００を別色で表示させる（S１４）。
【００２５】
ユーザによる顔画像の選択操作が決定されたあと、実行ボタンがユーザによって操作されると、信号処理部１０６は、ステップS１１のあと、ステップS１５の処理に移行し、決定キー３００が選択されているか否かを判定し、決定キー３００が選択されていないときには、例えば、図４（ｄ）に示すように、顔画像２０６の枠２１６の表示を削除し（S１６）、再びステップS１１の処理に戻る。このあと、ユーザによって実行ボタンが操作されるとともに決定キー３００が選択されたときには、信号処理部１０６は、ユーザによる顔画像の選択操作が全て終了したとして、このルーチンでの処理を終了する。
【００２６】
次に、ユーザによって選択された顔画像を登録するための記録中シーケンスの作用を図６のフローチャートに基づいて説明する。
【００２７】
まず、信号処理部１０６は、記録媒体から映像信号を取り込み、フレームの有無を判定し（S２１）、フレームがないときにはこのルーチンでの処理を終了し、フレームがあるときには、フレーム画像を取り込み（S２２）、取り込んだフレーム画像から顔画像を検知（認識）し（S２３）、検知した顔と登録済みの顔情報で未照合の情報があるか否かを判定し（S２４）、このステップで否定の判定結果を得たときにはこのルーチンでの処理を終了し、このステップで肯定の判定結果をえたときには、顔検知結果と登録済み顔情報とを照合する（S２５）。
【００２８】
この後、信号処理部１０６は、一致する顔情報の有無を判定し（S２６）、このステップで一致する顔情報が無いと判定したときにはこのルーチンでの処理を終了し、一致する顔情報が有ると判定したときには、該当フレーム情報を保持し（S２７）、検知した顔全てについて処理を完了したか否かを判定し（S２８）、検知した顔全てについて処理を完了してないときにはステップS２４の処理に戻り、検知した顔全てについて処理を完了したときには、全てのフレームについて処理を完了したか否かを判定し（S２９）、全てのフレームについて処理を完了していないときには、ステップS２１〜S２９の処理を繰り返し、全てのフレームについて処理を完了したときには、このルーチンでの処理を終了する。
【００２９】
次に、記録シーケンスの処理を図７のフローチャートにしたがって説明する。まず、信号処理部１０６は、映像情報からフレーム画像を順次取り込み、フレームの有無を判定し（S３１）、フレームがないときにはこのルーチンでの処理を終了し、フレームがあるときにはフレーム画像を取り込み（S３２）、取り込んだフレーム画像から顔画像を検知し（S３３）、検知した顔画像（顔情報）と、登録済みの顔情報で未照合の情報の有無を判定する（S３４）。
【００３０】
このステップで、未照合の情報が無いと判定したときには、信号処理部１０６は、このルーチンでの処理を終了し、未照合の情報が有ると判定したときには顔検知結果と登録済み顔情報と照合し（S３５）、一致する顔情報の有無を判定し（S３６）、一致する顔情報が無いときには該当顔情報を登録し（S３７）、一致する顔情報が有るときには、該当フレーム情報を保持し（S３８）、同一顔情報が出現する回数を増加し、増加した該当フレーム情報を保持する（S３９）。
【００３１】
この後、信号処理部１０６は、検知した顔全てについて処理を完了したか否かを判定し（S４０）、検知した顔全てについて処理を完了してないときにはステップS３４の処理に戻り、検知した顔全てについて処理を完了したときには、全てのフレームについて処理を完了したか否かを判定し（S４１）、全てのフレームについて処理を完了していないときには、ステップS３１〜S４０の処理を繰り返し、全てのフレームについて処理を完了したときには、このルーチンでの処理を終了する。
【００３２】
次に、ダビング前処理１の作用を図８のフローチャートにしたがって説明する。まず、信号処理部１０６は、登録された顔画像から出現回数がX％超える画像を選択する（S５１）。すなわち、信号処理部１０６は、顔画像を、フレーム画像全体に対する出現回数（％）に関連づけて記録しておき、記録された出現回数がX％を越える顔画像を選択する。
【００３３】
例えば、信号処理部１０６は、図９（a）〜（d）に示すように、顔画像２００、２０２、２０４、２０６を、その出現回数（％）に関連づけて記録するとともに、図９(e)に示すように、顔画像２００または顔画像２０２のいずれかが出現する回数に関連づけて記録し、また、図９(f)に示すように、顔画像２００と顔画像２０２が共に出現する回数に関連づけて記録する。そして登録された顔画像から出現回数が設定値としてのX％、例えば７０％を超えた顔画像を選択するときには、顔画像２００〜２０６の中から、顔画像２００と顔画像２０２を選択する。
【００３４】
次に、信号処理部１０６は、次フレームの有無を判定し（S５２）、次フレームが有るときには、該当人物が全て映っているフレームか否かを判定し（S５３）、このとき否定の判定結果を得たときにはステップS５２の処理に戻り、肯定の判定結果を得たときには、該当人物のサイズは適正か否かを判定し（S５４）、該当人物のサイズが適正でないときにはステップS５２の処理に戻り、該当人物のサイズが適正と判定したときには、保持した画像よりもサイズは適正か否かを判定し（S５５）、サイズが適正でないときにはステップS５２の処理に戻る。
【００３５】
ステップS５５で、サイズが適正と判定したときには、信号処理部１０６は、該当フレーム画像を保持し（S５６）、ステップS５２で次フレームが無いと判定したときと同様に、該当フレームの有無を判定し（S５７）、該当フレームが無いと判定したときにはステップS５８の処理（図１０のダビング前処理２）に移行し、該当フレームが有りと判定したときには、該当フレーム画像を表示し（S５９）、このルーチンでの処理を終了する。
【００３６】
次に、ダビング前処理２の具体的な内容を図１０のフローチャートにしたがって説明する。まず、信号処理部１０６は、次フレームの有無を判定し（Ｓ７１）、次フレームが有りと判定したときには該当人物が映っているフレームか否かを判定し（Ｓ７２）、該当人物が映っているフレームが無いと判定したときには、ステップS７１の処理に戻り、該当人物が映っているフレームが有るときには、保持している顔と同一人物か否かを判定し（Ｓ７３）、このステップで同一人物と判定したときには、保持した画像よりもサイズは適正か否かを判定し（Ｓ７４）、保持した画像よりもサイズが適正でないときにはステップＳ７１の処理に戻り、保持した画像よりもサイズが適正と判定したときには、ステップＳ７６の処理に移行する。
【００３７】
ステップS７３において保持している顔と同一人物でないと判定したときには、信号処理部１０６は、該当人物のサイズは適正か否かを判定し（S７５）、該当人物のサイズが適正でないときには、このルーチンでの処理を終了し、該当人物のサイズが適正なときには、該当フレーム画像を保持し（S７６）、その後、このルーチンでの処理を終了する。
【００３８】
次に、ダビング実行処理を図１１のフローチャートにしたがって説明する。まず、信号処理部１０６は、液晶ディスプレイ１１３の画面上に表示された顔画像２００、２０２、２０４、２０６にそれぞれ枠２１０、２１２、２１４、２１６を表示し（S８１）、ユーザの選択操作に応答する処理を実行する（S８２）。この処理は、図５に示す処理と同様であって、ユーザの操作に基づく顔画像が選択操作される処理を待ち、この応答処理が終了したあと、ユーザにより選択された顔画像をダビングする処理を実行する（S８３）。すなわち、ダビング元の記録媒体に記録された顔画像を含む画像をサムネイル画像として、このサムネイル画像を含む画像をダビング元から抽出してダビング先の記録媒体にダビングする処理を実行し、このルーチンでの処理を終了する。
【００３９】
図１２に、液晶ディスプレイ１１３の画面上に、顔画像を選択するためのメニュー画面として２つのメニュー画面を表示したときの表示例を示す。この場合、各メニュー画面４００に顔画像２００、２０２を表示し、メニュー画面４０２に顔画像２０４、２０６を表示し、各顔画像２０２〜２０６にそれぞれ枠２１０、２１２、２１４、２１６を表示させることもできる。
【００４０】
本実施形態によれば、ダビング時に、信号処理部１０６は、ハードディスクドライブ１０７とディスクメディア部１０８のうちダビング元となる記録媒体に記録された映像情報からフレーム画像を順次取り込み、各フレーム画像から顔画像を認識し、認識された顔画像を液晶ディスプレイ１１３の画面上に表示させ、表示された各顔画像のうち操作スイッチ１０９の操作によって選択された顔画像を登録し、登録された顔画像のうち出現回数が設定値を超えた顔画像あるいは複数人の同一の顔画像を含む画像または登録された顔画像を全て含む画像をサムネイル画像として、このサムネイル画像を含む画像をダビング元の記録媒体から抽出してダビング先の記録媒体にダビングするようにしたため、顔情報を基にダビングする際に、ユーザに対する使い勝手の向上を図ることができる。
【００４１】
なお、対象となる人物が全員映っているフレーム画像（シーン）が無い場合は、画面を分割して表示することもできる。
【図面の簡単な説明】
【００４２】
【図１】本発明の一実施形態を示す情報記録再生装置のブロック図である。
【図２】信号処理部の機能ブロック図である。
【図３】顔画像の登録処理を説明するためのフローチャートである。
【図４】顔画像を選択するための画面の表示例を示す図である。
【図５】ユーザの操作に基づく顔画像の決定処理を説明するためのフローチャートである。
【図６】顔画像記録中のシーケンスを説明するためのフローチャートである。
【図７】顔画像記録中の他のシーケンスを説明するためのフローチャートである。
【図８】ダビング前処理１を説明するためのフローチャートである。
【図９】顔画像の出現回数の登録例を説明するための図である。
【図１０】ダビング前処理２を説明するためのフローチャートである。
【図１１】ダビング処理を説明するためのフローチャートである。
【図１２】２つのメニュー画面の表示例を示す図である。
【符号の説明】
【００４３】
１００  情報記録再生装置、１０１  レンズ、１０２  撮像センサ、１０３  カメラ信号処理部、１０４  圧縮伸張部、１０５  制御マイコン部、１０６  信号処理部、１０７  ハードディスクドライブ、１０８  ディスクメディア部、１０９  操作スイッチ
【図１】
0005087477.tif 000002
【図２】
0005087477.tif 000003
【図３】
0005087477.tif 000004
【図４】
0005087477.tif 000005
【図５】
0005087477.tif 000006
【図６】
0005087477.tif 000007
【図７】
0005087477.tif 000008
【図８】
0005087477.tif 000009
【図９】
0005087477.tif 000010
【図１０】
0005087477.tif 000011
【図１１】
0005087477.tif 000012
【図１２】
0005087477.tif 000013